(57)【要約】【課題】ＩＳＯ１４４４３に規定されるタイプＡ、タイプＢなどの通信方式の相違、特にマンチェスタ、ＮＲＺＬなどの符号化方式の相違に対応して、高コストを要するＡＳＩＣ開発を行うことなく、低コストで複数の通信方式に対応することが可能な非接触情報媒体のリーダライタを提供する。【解決手段】マイクロコンピュータ１１の動作クロック周波数を、ＩＣカード１等の非接触情報媒体から受信する搬送波の周波数と同一とし、２値化回路１７の出力を直接マイクロコンピュータ１１に入力して、符号化された情報をマイクロコンピュータ１１で復号化するとともに、マイクロコンピュータ１１で通信方式を判別する。【選択図】          図１
2004220117.tif 000002
【特許請求の範囲】
【請求項１】
非接触型情報媒体との間で情報の送受信を行うリーダライタであって、
前記非接触型情報媒体から送信された無線信号を受信する受信手段と、
前記無線信号を検波及び復調してデジタル復調信号を生成する復調信号生成手段と、
前記復調信号生成手段により生成されたデジタル復調信号が入力されるマイクロコンピュータと、
前記マイクロコンピュータに動作クロック信号を供給する動作クロック信号供給手段とを備え、
前記動作クロック信号供給手段が生成する動作クロック信号の周波数は、前記受信手段が受信する無線信号の搬送波の周波数と同一であり、
前記マイクロコンピュータは、前記復調信号生成手段により生成されたデジタル復調信号の入力を受けて、前記非接触型情報媒体から送信された無線信号の符号化方式を判別する判別手段を備える
ことを特徴とするリーダライタ。
【発明の詳細な説明】
【０００１】
【発明の属する技術分野】
本発明は、非接触型ＩＣカード、非接触型データタグ、いわゆるデータキャリア等の非接触型情報媒体との間で情報の送受信を行うリーダライタに関する。
【０００２】
【従来の技術】
近年、テレホンカードや定期券などの分野において非接触型ＩＣカードが実用化されている。非接触型ＩＣカードは、いわゆるリーダライタから放出される電波を受信して電磁誘導結合により無線通信を行う。非接触型ＩＣカードとリーダライタとの間の通信方式としては、ＩＳＯ１４４４３等に規定されているタイプＡ、タイプＢがある。
【０００３】
以下、従来のリーダライタについて図３を参照しながら説明する。図３は、従来のリーダライタの回路構成およびデータキャリアの回路構成を示す図である。リーダライタ１０はアンテナ１４を有し、かつ、データキャリア１はアンテナ５を有しており、リーダライタ１０とデータキャリア１との無線通信はこれらのアンテナを通して電磁誘導結合手段により行われる。データキャリア１は、アンテナ５と、アンテナ５の両端と接続されたＩＣチップ２と、ＩＣチップ２より出力されるアナログスイッチ制御信号ＡによりＯＮ／ＯＦＦ制御されるアナログスイッチ３と、変調用インピーダンス素子４により構成されている。
【０００４】
リーダライタ１０からデータキャリア１への通信では、１３．５６ＭＨｚの搬送波信号をデータキャリア１へのコマンド信号である１０６ｋｂｐｓのビットストリーム信号により振幅変調する方式が用いられており、かつ、データキャリア１からリーダライタ１０への通信では、ＩＣチップ２より出力されるリーダライタ１０へのレスポンス信号である８４８ｋｂｐｓのビットストリーム信号をアナログスイッチ制御信号Ａとして、アナログスイッチ３のＯＮ／ＯＦＦ制御を行い、この結果、変調用インピーダンス素子４のアンテナ５の両端への挿入／非挿入を行い、リーダライタ１０のアンテナ１４から見たアンテナ５のインピーダンスを変化させることにより、リーダライタ１０のアンテナ１４の端子電圧を変化させる負荷変調方式が用いられている。
【０００５】
データキャリア１とリーダライタ１０との通信には半二重方式が用いられているため、リーダライタ１０による変調期間とデータキャリア１による変調期間が重なることはない。
次にリーダライタの回路動作を説明する。
データキャリア１からリーダライタ１０への通信では、アンテナ１４と同調回路１５とにより受信された受信信号Ｂを検波回路１６に入力し、かつ、検波回路１６は入力された受信信号Ｂを検波し、８４８ｋｂｐｓの検波信号Ｃを出力し、かつ、検波信号Ｃは２値化回路１７に入力されてデジタル信号である８４８ｋｂｐｓのデジタル復調信号Ｄに変換される。
【０００６】
一方、１３．５６ＭＨｚの発振子２２を有する搬送波発振回路２１より出力された搬送波信号Ｇは、分周回路２３で１／１６の周波数に分周され、８４８ｋＨｚの分周信号Ｈとなり、かつ、分周信号Ｈは、位相調整回路２４でマイクロコンピュータ１１より出力される遅延時間制御信号Ｉにより遅延時間を制御されながら、同調回路１８で上記デジタル復調信号Ｄを同期化できる位相の８４８ｋＨｚの同期タイミング信号Ｊに変換され、この結果、デジタル復調信号Ｄは同期回路１８で同期タイミング信号Ｊにより後述のマイクロコンピュータ１１の動作クロック信号に同期した同期化デジタル復調信号Ｅに変換される。
【０００７】
タイミング判別回路１９は、入力された同期化デジタル復調信号Ｅに対して、同時に入力された上記同期タイミング信号Ｊに同期したタイミングでデータ値を読み、データ内容を判別して同期化デジタル復調信号Ｅの有効データ期間のスタートおよびストップタイミングを割り出し、同タイミングを示す信号である有効データスタート／ストップタイミング信号Ｋを出力するとともに、シリアルｔｏパラレル変換回路２０は、シリアルデータ信号である同期化デジタル復調信号Ｅを入力して、同時に入力される上記同期タイミング信号Ｊおよび有効データスタート／ストップタイミング信号Ｋにより制御して同期化復調信号Ｅをパラレル変換し、１０６ｋｂｐｓのパラレル信号であるパラレルデジタル復調信号Ｆを出力する。
【０００８】
パラレルデジタル復調信号Ｆはマイクロコンピュータ１１に入力され、同時に入力される上記有効データスタート／ストップタイミング信号Ｋに同期したタイミングでマイクロコンピュータ１１に読み込まれ、処理されて行く。
次に、リーダライタ１０からデータキャリア１への通信では、マイクロコンピュータ１１は８４８ｋＨｚの分周信号Ｈを入力し、この信号の１／８の転送速度に同期した１０６ｋｂｐｓのパラレル信号であるパラレルデジタル送信信号Ｌを出力する。パラレルデジタル送信信号Ｌはパラレルｔｏシリアル変換回路２５に入力され、同時に入力される分周信号Ｈに同期したタイミングでパラレルデジタル送信信号Ｌのシリアル変換を行い、８４８ｋｂｐｓのシリアル信号であるデジタル送信信号Ｍを出力する。
【０００９】
変調回路２６では、デジタル送信信号Ｍにより１３．５６ＭＨｚの搬送波信号Ｇが振幅変調され、送信信号Ｎが出力される。送信信号Ｎは同調回路１５とアンテナ１４によりデータキャリア１に送信されて行く。
一方、マイクロコンピュータ１１には、その動作クロック信号を生成させるための発振回路１２が内蔵されており、外部に発振子１３を接続することによりマイクロコンピュータ１１の動作クロック信号を生成することができる。実際の発振子１３の発振周波数は１９．６６ＭＨｚであり、マイクロコンピュータ１１の動作限界である最大動作クロック周波数２０ＭＨｚに近いマージンのない値となっている。
【００１０】
マイクロコンピュータ１１は上記の如く、位相調整回路２４の遅延時間制御を行っているが、上記動作クロック周波数の限界により、この遅延時間制御に加えて、上記のタイミング判別回路１９、シリアルｔｏパラレル変換回路２０、および、シリアルｔｏパラレル変換回路２５の動作をマイクロコンピュータ１１の内部でソフトウェア処理により併せて行わせることができず、この結果、これらの回路は図示の如くマイクロコンピュータ１１の外部回路としている。
【００１１】
【特許文献１】
特開２００２−３４２７２５
【００１２】
【発明が解決しようとする課題】
しかしながら、上記従来のリーダライタの回路構成は回路規模が大きく、実際にリーダライタを生産する場合、回路実装スペースが大きく、かつ、回路コストも高くなってしまう。さらに、１９．６６ＭＨｚの動作クロック信号で動作するマイクロコンピュータ１１と、１３．５６ＭＨｚの搬送波信号で動作するアンテナ１４の周辺送受信回路との間で位相を合わせてデータの受け渡しを行うためには、構成が複雑であり、かつ高いタイミング精度を要する回路が必要となってしまい、構成が簡単な低コスト回路で動作信頼性を確保することが難しくなる問題が発生する。
【００１３】
また、最近のように非接触型ＩＣカードが広く普及すると、同時に複数のリーダライタを所持する人も増えてくる。このような場合、単一のリーダライタで複数の通信方式の非接触型ＩＣカードと通信を行うことができれば便利であるが、従来のリーダライタでは、タイプＡ、タイプＢの相違、特に符号化方式（マンチェスタ、ＮＲＺなど）に対応して、専用の復号化用ＡＳＩＣ（アプリケーション専用ＩＣ）を、高いコストをかけて開発する必要があるという問題点を有していた。
【００１４】
本発明は、係る問題点に鑑みてなされたものであって、ＡＳＩＣを開発することなく複数の符号化方式の非接触型ＩＣカードと通信を行うことができる低コストな非接触型情報媒体のリーダライタを提供することを目的としている。
【００１５】
【課題を解決するための手段】
上記目的を達成するために、本発明に係る非接触型情報媒体のリーダライタは、非接触型情報媒体との間で情報の送受信を行うリーダライタであって、前記非接触型情報媒体から送信された無線信号を受信する受信手段と、前記無線信号を検波及び復調してデジタル復調信号を生成する復調信号生成手段と、前記復調信号生成手段により生成されたデジタル復調信号が入力されるマイクロコンピュータと、前記マイクロコンピュータに動作クロック信号を供給する動作クロック信号供給手段とを備え、前記動作クロック信号供給手段が生成する動作クロック信号の周波数は、前記受信手段が受信する無線信号の搬送波の周波数と同一であり、前記マイクロコンピュータは、前記復調信号生成手段により生成されたデジタル復調信号の入力を受けて、前記非接触型情報媒体から送信された無線信号の符号化方式を判別する判別手段を備えることを特徴としている。
【００１６】
この構成では、マイクロコンピュータの動作クロック周波数と無線信号の搬送波の周波数とを同一としているため、マイクロコンピュータに入力されたデジタル復調信号とマイクロコンピュータの動作クロック信号とが同期しており、マイクロコンピュータでデジタル復調信号を容易に読み取ることができる。従って、通信方式ごとに異なったＡＳＩＣを開発することなく、複数種類の符号化方式に対応することができる。
【００１７】
【発明の実施の形態】
以下、本発明の実施の形態について図面を参照しながら説明する。
（１）リーダライタの構成
図１は、本発明のリーダライタの回路構成およびデータキャリアの回路構成を示す図である。リーダライタ３０はアンテナ１４を有し、かつ、データキャリア１はアンテナ５を有しており、リーダライタ３０とデータキャリア１との無線通信はこれらのアンテナを通して電磁誘導結合手段により行われる。
【００１８】
データキャリア１は従来と同様のものであり、かつ、データキャリア１とリーダライタ３０との通信における通信電力、周波数、および変調方式などの通信条件も従来とまったく同様である。以下、本発明のリーダライタの回路動作を説明する。
本発明のリーダライタ３０の回路は、マイクロコンピュータ１１の動作クロック信号を送信用の搬送波信号としても用いているのが特徴である。データキャリア１からリーダライタ３０への通信では、アンテナ１４と同調回路１５とにより受信された受信信号Ｂを検波回路１６に入力し、かつ、検波回路１６は入力された受信信号Ｂを検波し、８４８ｋｂｐｓの検波信号Ｃを出力し、かつ、検波信号Ｃは２値化回路１７に入力されて８４８ｋｂｐｓのデジタル信号であるデジタル復調信号Ｄに変換され、このデジタル復調信号Ｄが直接マイクロコンピュータ１１に入力され、処理される。
【００１９】
データキャリア１からリーダライタ３０への通信は、上記の如く、負荷変調方式で行われているため、受信信号から得られたデジタル復調信号Ｄは搬送波信号Ｐに同期しているが、本発明の回路では、搬送波信号Ｐにマイクロコンピュータ１１の動作クロック信号を用いているため、デジタル復調信号Ｄはすでにマイクロコンピュータ１１の動作クロック信号に同期していることになる。このため、デジタル復調信号Ｄをマイクロコンピュータ１１に直接入力しても、マイクロコンピュータ１１によりデジタル復調信号Ｄのデータ内容を読み取ることが可能となるのである。
【００２０】
実際にマイクロコンピュータ１１では、ソフトウェアにより制御されながら、デジタル復調信号Ｄのデータ内容を読み取っている。読み取られた信号はシリアルデータ信号であるが、マイクロコンピュータ１１のソフトウェア処理によりパラレル化が行われている。
次に、リーダライタ３０からデータキャリア１への通信では、同様に送信信の搬送波信号をマイクロコンピュータ１１の動作クロック信号としているため、送信信号はすでにマイクロコンピュータ１１の動作クロック信号に同期しており、シリアルデータ信号であるデジタル送信信号Ｍは、直接マイクロコンピュータ１１よりソフトウェアにより制御して生成している。
【００２１】
マイクロコンピュータ１１では、ソフトウェア制御により、必要なシリアル変換を行いながら８４８ｋｂｐｓの上記デジタル送信信号Ｍを生成している。変調回路２６では、マイクロコンピュータ１１から直接出力されたデジタル送信信号Ｍによりマイクロコンピュータ１１の動作クロック信号である搬送波信号Ｐを変調することで容易に送信信号Ｎが得られ、この送信信号Ｎを同調回路１５とアンテナ１４とによりデータキャリア１に送信することによりリーダライタ３０からデータキャリア１への通信が行われる。
【００２２】
（２）マイクロコンピュータの処理内容
マイクロコンピュータ１１では、入力されたデジタル復調信号Ｄから、デジタル復調信号Ｄに含まれているデータを読み取る。以下、本実施の形態のマイクロコンピュータ１１の処理内容について説明する。図２は、当該処理内容の概略を示すフローチャートである。リーダライタ３０のマイクロコンピュータ１１は、不図示のプログラムメモリに格納されたプログラムの動作を開始すると、まず、アンテナ１４を介して外部にリクエスト信号を送信する（Ｓ１０１）。リクエスト信号の送信に際しては、通信方式（ここでは、まずタイプＡ）に対応するリクエスト信号をマイクロコンピュータ１１内部のソフトウェア処理で８４８ｋｂｐｓのデジタル信号に変換し、シリアルのデジタル信号Ｍとして出力する。このデジタル信号Ｍが、マイクロコンピュータ１１の動作クロック信号である１３．５６ＭＨｚの搬送波信号Ｐとともに変調回路２６に入力され、搬送波信号Ｐを変調することにより、送信信号Ｎが得られる。送信信号Ｎを同調回路１５とアンテナ１４でデータキャリア１に送信する。他の場合についても送信の方法は同様である。
【００２３】
なお、リクエスト信号とは、リーダライタ３０の通信可能領域内に存在するデータキャリア１などの非接触型情報媒体を確認するために送信する信号である。本実施の形態では、リーダライタ３０とデータキャリア１等の各種非接触型情報媒体との間での複数のタイプの通信方式（ＩＳＯ１４４４３に規定されたタイプＡ及びタイプＢなど）に対応することを可能としており、リクエスト信号は通信方式ごとに異なっているため、前記したように、まず、最初にタイプＡのリクエスト信号を送信する。
【００２４】
リクエスト信号を受信したデータキャリア１等の非接触型情報媒体はレスポンス信号を返信する。リーダライタ３０は、このレスポンス信号を受信することにより、通信可能領域内に非接触型情報媒体が存在することを確認することができる。ここでは、リーダライタ３０は、まずタイプＡのリクエスト信号を送信する。リーダライタ３０が、レスポンス信号を受信した場合（Ｓ１０２：ＹＥＳ）、それが上記のタイプＡのリクエスト信号に対するレスポンス信号であるか否かを判定し（Ｓ１０３）、タイプＡであった場合には（Ｓ１０３：ＹＥＳ）、タイプＡの非接触型情報媒体が存在することになるので、タイプＡの通信モードとなるようにマイクロコンピュータ１１の通信方式を設定して（Ｓ１０４）、通信を継続して実行する（Ｓ１０５）。なお、同様にタイプＢのレスポンス信号であった場合には（Ｓ１０３：ＮＯ）、マイクロコンピュータ１１の通信方式をタイプＢに設定する（Ｓ１０６）。
【００２５】
ここで、上記通信方式について簡単に説明する。ＩＳＯ１４４４３に規定されたタイプＡ（例えばテレホンカードなど）の場合の、リーダライタから非接触型情報媒体への通信においては、変調方式は変調度１００％のＡＳＫ変調（振幅変調）であり、符号化方式は変形ミラー方式、搬送波の周波数は１３．５６ＭＨｚで、通信速度は１０６ｋｂｐｓである。一方、非接触型情報媒体からリーダライタへの通信には前記した負荷変調によるＯＯＫを用い、符号化方式はマンチェスタ方式、搬送波の周波数は１３．５６ＭＨｚ、副搬送波の周波数は８４８ｋＨｚであり、通信速度は１０６ｋｂｐｓである。
【００２６】
タイプＢ（例えば公共カードなど）のリーダライタから非接触型情報媒体への通信においては、変調方式は変調度１０％のＡＳＫ変調であり、符号化方式はＮＲＺＬ、搬送波の周波数は１３．５６ＭＨｚで通信速度は１０６ｋｂｐｓである。一方、非接触型情報媒体からリーダライタへの通信では、８４８ｋＨｚの副搬送波を用いたＢＰＳＫ変調であり、符号化方式はＮＲＺ、搬送波の周波数は１３．５６ＭＨｚ、通信速度は１０６ｋｂｐｓとなる。
【００２７】
本実施の形態のリーダライタは、上記のタイプＡ及びタイプＢに対応するため、データキャリア等の非接触型情報媒体からリーダライタへの通信における符号化方式、即ちタイプＡではマンチェスタ方式で符号化されたデータの復号化、タイプＢではＢＰＳＫ方式で符号化されたデータの復号化を行うことが問題となる。非接触型情報媒体からリーダライタへの通信に用いる搬送波の周波数は、タイプＡ、タイプＢのいずれも１３．５６ＭＨｚで同一であり、これは、マイクロコンピュータ１１の動作クロック周波数と同一である。また、副搬送波の周波数も８４８ｋＨｚで同一であって、マイクロコンピュータ１１の動作クロック信号と搬送波信号とは同一であるため、マイクロコンピュータ１１の動作クロック信号の所定の立ち上がりタイミング若しくは立ち下がりタイミングで２値化回路１７から出力されたデジタル復調信号Ｄのサンプリングを行うことにより、マイクロコンピュータ１１の入力ポートに入力された２値化回路１７からのデジタル復調信号の論理（０若しくは１）をそのまま読み取ることができる。
【００２８】
受信した無線信号の符号化方式がマンチェスタ方式であると判別された場合には、以後、符号化されたデジタル復調信号のデータ配列が、「００００１１１１」であった場合に「１」と判定し、「１１１１００００」であった場合に「０」と判定するようにマイクロコンピュータ１１内の設定を変更する。ＮＲＺＬ方式であると判別された場合には、以後、符号化されたデジタル復調信号のデータ配列が、「１１１１１１１１」であった場合に「１」と判定し、「００００００００」であった場合に「０」と判定するようにマイクロコンピュータ１１内の設定を変更する。
【００２９】
上記のように、タイプＡのレスポンス信号であった場合には（Ｓ１０３：ＹＥＳ）、マイクロコンピュータ１１内での復号化の方式をタイプＡ（マンチェスタ方式）に切り替える（Ｓ１０４）。一方、レスポンス信号がタイプＡの信号でなかった場合には（Ｓ１０３：ＮＯ）、復号化の方式をタイプＢ（ＮＲＺＬ方式）に切り替える（Ｓ１０６）。そして通信が終了するまで（Ｓ１０７：ＹＥＳ）、通信を継続して実行し（Ｓ１０５）、通信が終了すると、非接触型情報媒体に送信するリクエスト信号をタイプＡからタイプＢに切り替えて（Ｓ１０８）、ステップＳ１０１へと戻る。
【００３０】
以上に説明したように、本発明によれば、第１に、本発明のリーダライタ回路では、回路動作用のクロック周波数をすべて１３．５６ＭＨｚと一元化したため、すなわち、図１に示す本発明のリーダライタ回路において、搬送波信号Ｐにマイクロコンピュータ１１の動作クロック信号を用いたため、デジタル復調信号Ｄはすでにマイクロコンピュータ１１の動作クロック信号に同期している。このため、図３に示す従来のリーダライタ回路にあった、１３．５６ＭＨｚの搬送波信号Ｇを生成する搬送波発振回路２１と、発振子２２と、分周回路２３と、かつ、デジタル復調信号Ｄを１３．５６ＭＨｚの搬送波信号Ｇへ同期化させるための位相調整回路２４と、同期回路１８と、かつ、この同期化された同期化デジタル信号Ｅを１９．６６ＭＨｚのマイクロコンピュータ１１の動作クロック信号へ同期化させるために必要なタイミング判別を行うタイミング判別回路１９が不要となり、回路が単純化される。
【００３１】
すなわち、本発明のリーダライタは、従来のリーダライタと比較して回路規模を縮小することができるものであり、回路の小型化および回路コストの低減を図ることができる。
第２に、同様に回路動作用のクロック周波数を１３．５６ＭＨｚと一元化したため、従来のリーダライタのように、１３．５６ＭＨｚの搬送波信号と１９．６６ＭＨｚのマイクロコンピュータの動作クロック信号との異なる周波数の信号間で送信データ信号および受信データ信号をそれぞれ同期化させて受け渡すという複雑な回路動作が不要となっており、回路動作の単純化、および回路構成の単純化が図られている。
【００３２】
上記回路動作の単純化は、さらに従来のリーダライタ回路と比較してマイクロコンピュータ１１の必要なデータ処理量を少なくしている。マイクロコンピュータ１１の動作クロック周波数は、従来リーダライタでの１９．６６ＭＨｚから本発明のリーダライタでの１３．５６ＭＨｚと低くすることを実現している。
この結果、従来リーダライタでマイクロコンピュータ１１の外部回路で行われていた受信データのシリアルｔｏパラレル変換処理、および送信データのパラレルｔｏシリアル変換処理も、本発明のリーダライタでは、マイクロコンピュータ１１でソフトウェアにより制御して行うことが可能となっている。
【００３３】
さらに、本発明のリーダライタ回路では、上記回路動作用クロック信号の一元化により、受信信号を復調したデジタル信号をマイクロコンピュータ１１で時間軸変換なしに直接読み取ること、および、マイクロコンピュータ１１から送信するデジタル信号を出力し、この信号の時間軸変換を行うことなくアンテナ１４より送信することが可能となっている。
【００３４】
従って、本発明のリーダライタ回路は、従来リーダライタ回路のシリアルｔｏパラレル変換回路２０、およびパラレルｔｏシリアル変換回路２５を不要とするものであり、上記回路スペースの縮小化および回路コストの低減をさらに推し進めることを可能とするものである。
上記一連の内容により、本発明のリーダライタでは、従来のリーダライタ回路と比較して、構成が簡単であり、かつ小型化された低コスト回路で従来のリーダライタ回路と同様の動作信頼性を確保することが可能となる。
【００３５】
なお、本発明のリーダライタの処理を実現するプログラムは、例えば磁気テープ、フレキシブルディスク等の磁気ディスク、ＤＶＤ、ＣＤ−ＲＯＭ、ＣＤ−Ｒ、ＭＯ、ＰＤなどの光記録媒体、Ｓｍａｒｔ  Ｍｅｄｉａ（登録商標）、ＣＯＭＰＡＣＴＦＬＡＳＨ（登録商標）などのフラッシュメモリ系記録媒体等、コンピュータ読み取り可能な各種記録媒体に記録することが可能であり、当該記録媒体の形態で生産、譲渡等がなされる場合もあるし、プログラムの形態で、インターネットを含む有線、無線の各種ネットワーク、放送、電気通信回線、衛星通信等を介して伝送、供給される場合もある。
【００３６】
また、本発明に係るプログラムは、上記に説明した処理をコンピュータに実行させるための全てのモジュールを含んでいる必要はなく、例えば通信プログラムや、オペレーティングシステム（ＯＳ）に含まれるプログラムなど、別途情報処理装置にインストールすることができる各種汎用的なプログラムを利用して、本発明の各処理をコンピュータに実行させるようにしてもよい。従って、上記した本発明の記録媒体に必ずしも前記全てのモジュールを記録している必要はないし、また、必ずしも全てのモジュールを伝送する必要もない。さらに所定の処理を専用ハードウェアを利用して実行させるようにすることができる場合もある。
【００３７】
【発明の効果】
以上のように、本発明に係る非接触型情報媒体のリーダライタによれば、マイクロコンピュータの動作クロック周波数を非接触型情報媒体が送信する無線信号の搬送波の周波数と同一とし、前記マイクロコンピュータは、無線信号を復調して得られたデジタル復調信号の入力を受けて、前記非接触型情報媒体から送信された無線信号の符号化方式を判別する判別手段を備えるようにしているので、通信方式ごとに符号化方式が異なることに対応して高コストのＡＳＩＣ開発を行う必要もなく、低コストで複数種類の符号化方式に対応することができるという効果がある。また、マイクロコンピュータの動作クロック信号と搬送波信号とが同期しているので、マイクロコンピュータによるデジタル復調信号の読み取りが容易に行えるという効果がある。
【図面の簡単な説明】
【図１】本発明の実施の形態におけるリーダライタの回路構成およびデータキャリアの回路構成を示す図である。
【図２】本実施の形態のマイクロコンピュータ１１の処理内容の概略を示すフローチャートである。
【図３】従来のリーダライタの回路構成およびデータキャリアの回路構成を示す図である。
【符号の説明】
１１                マイクロコンピュータ
１２                動作クロック発振回路
１７                ２値化回路
３０                リーダライタ
【図１】
2004220117.tif 000003
【図２】
2004220117.tif 000004
【図３】
2004220117.tif 000005